(57)【要約】【課題】  ウエストバンドタイプおむつを連続生産する際の設備や制御の簡易化、低コスト化を図ることのできる使い捨ておむつの製造方法を提供すること。【解決手段】  一対のウエストバンドを有する使い捨ておむつ１の製造方法であり、連続搬送されている帯状のウエストバンド原反６０を、長手方向に、切断点Ｐ１．Ｐ２を幅方向に揺動させながら切断し、左右のウエストバンドがそれぞれ複数連なった構成の２本のウエストバンド連続体６１，６２を得、それらをウエストバンド部分の位置が一致するように重ね、重ねた状態の両連続体を、幅方向に順次切断してウエストバンド配置体６Ａを得、各ウエストバンド配置体６Ａを、本体の構成材５２上に順次配置し各ウエストバンド部分の所定箇所９を該構成材５２上に固定する。【選択図】      図２
2006102022.tif 000002
【特許請求の範囲】
【請求項１】
液保持性の吸収体を具備する実質的に縦長の本体と、該本体の長手方向の両側部に接合された左右一対のウエストバンドを有し、少なくとも何れか一方のウエストバンドに、他方のウエストバンドに止着するためのバンド止着部が設けられている使い捨ておむつの製造方法において、
連続搬送されている帯状のウエストバンド原反を、長手方向に、切断点を幅方向に揺動させながら切断し、左右のウエストバンドがそれぞれ複数連なった構成の２本のウエストバンド連続体を得る工程と、
前記２本のウエストバンド連続体の搬送方向の相対位置を調節して、両ウエストバンド連続体のウエストバンド部分の位置を一致させ、その状態で両ウエストバンド連続体同士を重ねる工程と、
重ねた状態の両ウエストバンド連続体を、幅方向に順次切断して、左右のウエストバンド部分を各一つ含むウエストバンド配置体を得る工程と、
各ウエストバンド配置体を、前記本体の構成材上に順次配置し、各ウエストバンド部分の所定箇所を、該構成材上に固定する工程とを具備することを特徴とする、使い捨ておむつの製造方法。
【請求項２】
前記両ウエストバンド連続体同士を重ねる工程の前に、ウエストバンド原反又はウエストバンド連続体のウエストバンドに対応する部分に前記バンド止着部を形成し、両ウエストバンド連続体同士を重ねる際に、前記バンド止着部を介して、両ウエストバンド連続体のウエストバンド部分同士を仮着させる請求項１記載の使い捨ておむつの製造方法。
【請求項３】
前記使い捨ておむつは、前記本体の長手方向の一端部近傍に前記ウエストバンドを有し、他端部近傍の両側部に左右一対のパネルが接合されており、各パネルに、前記ウエストバンド又はその近傍に止着されるおむつ止着部が設けられている使い捨ておむつであり、
前記２本のウエストバンド連続体を得る工程において、各ウエストバンド連続体として、ウエストバンド部分とパネル部分とが交互に配置された構成のウエストバンド連続体を得、前記ウエストバンド配置体を得る工程において、左右のウエストバンド部分及び左右のパネル部分を各一つ含むウエストバンド配置体を得、前記各ウエストバンド配置体を本体の構成材上に配置し各ウエストバンドを該構成材上に固定する工程においては、各ウエストバンド配置体を、二つのおむつに跨るように配置固定し、その後の工程において、ウエストバンド部分とパネル部分とが分離されるように、ウエストバンド配置体を前記本体の構成材とともに切断する請求項１又は２記載の使い捨ておむつの製造方法。
【請求項４】
液透過性の表面シートと、液不透過性の裏面シートと、液保持性の吸収体とを備える実質的に縦長の本体と、該本体の長手方向の両側部に接合された左右一対のウエストバンドを有し、少なくとも何れか一方のウエストバンドに、他方のウエストバンドに止着するためのバンド止着部が設けられている使い捨ておむつの製造方法において、
連続搬送されている帯状のウエストバンド原反を、長手方向に、切断点を幅方向に揺動させながら切断し、左右のウエストバンドがそれぞれ複数連なった構成の２本のウエストバンド連続体を得る工程と、
前記２本のウエストバンド連続体の搬送方向の相対位置を調節して、両ウエストバンド連続体のウエストバンド部分の位置を一致させ、その状態で両ウエストバンド連続体同士を重ねる工程と、
重ねた状態の両ウエストバンド連続体を、幅方向に順次切断して、左右のウエストバンド部分を各一つ含むウエストバンド配置体を得る工程と、
各ウエストバンド配置体を、前記表面シート上に順次配置し、各ウエストバンド部分の所定箇所を、前記表面シートと前記裏面シート間に挟み込まれる様に折り返し、該表面シートに固定する工程とを具備することを特徴とする、使い捨ておむつの製造方法。
【請求項５】
液透過性の表面シートと、液不透過性の裏面シートと、液保持性の吸収体とを備える実質的に縦長の本体と、該本体の長手方向の両側部に接合された左右一対のウエストバンドを有し、少なくとも何れか一方のウエストバンドに、他方のウエストバンドに止着するためのバンド止着部が設けられている使い捨ておむつの製造方法において、
連続搬送されている帯状のウエストバンド原反を、長手方向に、切断点を幅方向に揺動させながら切断し、左右のウエストバンドがそれぞれ複数連なった構成の２本のウエストバンド連続体を得る工程と、
前記２本のウエストバンド連続体の搬送方向の相対位置を調節して、両ウエストバンド連続体のウエストバンド部分の位置を一致させ、その状態で両ウエストバンド連続体同士を重ねる工程と、
重ねた状態の両ウエストバンド連続体を、幅方向に順次切断して、左右のウエストバンド部分を各一つ含むウエストバンド配置体を得る工程と、
各ウエストバンド配置体を、前記表面シート上に順次配置し、各ウエストバンド部分の所定箇所を、前記裏面シートを巻き込む様に折り返し、該裏面シートに固定する工程とを具備することを特徴とする、使い捨ておむつの製造方法。
【発明の詳細な説明】
【技術分野】
【０００１】
本発明は、使い捨ておむつの製造方法に関する。
【背景技術】
【０００２】
従来、展開型の使い捨ておむつとして、液透過性の表面シート、液不透過性の裏面シート及びこれら両シート間に介在された液保持性の吸収体を具備し、背側部の両側縁部に、それぞれウエストバンドが連設され、左右の該ウエストバンドの少なくとも何れか一方における先端部にバンド止着部が設けられており、腹側部の両側部におむつ止着部が設けられ、バンド止着部により、左右のウエストバンドを着用者の腹側において止着した後、おむつ止着部により、腹側部を左右のウエストバンド又はそれらの基端近傍部に止着して着用するようになしてあるウエストバンドタイプの使い捨ておむつが知られている（特許文献１，２参照）。
【０００３】
このようなウエストバンドタイプの使い捨ておむつは、着用者が立ったままでも容易に装着できる、ズボンを脱がずにおむつ替えができる、胴回りや脚周りのサイズ調整がそれぞれ可能である等の利点を有する。
【特許文献１】特開平１０−５２７８号公報
【特許文献２】特開平０９−２８５４８９号公報
【発明の開示】
【発明が解決しようとする課題】
【０００４】
しかしながら、ウエストバンドタイプの使い捨ておむつは、主としてウエストバンドの長さに起因して、原反を切断して得たウエストバンドを所定箇所に固定する迄の工程、更にはその後の工程において、ウエストバンドの取り扱いに複雑な設備や制御が必要であり、そのため、連続生産の高速度化や低コスト化を図ることが困難であった。
【０００５】
従って、本発明の目的は、ウエストバンドタイプおむつを連続生産する際の設備や制御の簡易化、低コスト化を図ることのできる使い捨ておむつの製造方法を提供することを目的とする。
【課題を解決するための手段】
【０００６】
本発明は、液保持性の吸収体を具備する実質的に縦長の本体と、該本体の長手方向の両側部に接合された左右一対のウエストバンドを有し、少なくとも何れか一方のウエストバンドに、他方のウエストバンドに止着するためのバンド止着部が設けられている使い捨ておむつの製造方法において、連続搬送されている帯状のウエストバンド原反を、長手方向に、切断点を幅方向に揺動させながら切断し、左右のウエストバンドがそれぞれ複数連なった構成の２本のウエストバンド連続体を得る工程と、前記２本のウエストバンド連続体の搬送方向の相対位置を調節して、両ウエストバンド連続体のウエストバンド部分の位置を一致させ、その状態で両ウエストバンド連続体同士を重ねる工程と、重ねた状態の両ウエストバンド連続体を、幅方向に順次切断して、左右のウエストバンド部分を各一つ含むウエストバンド配置体を得る工程と、各ウエストバンド配置体を、前記本体の構成材上に順次配置し、各ウエストバンド部分の所定箇所を、該構成材上に固定する工程とを具備することを特徴とする、使い捨ておむつの製造方法を提供することにより、上記目的を達成したものである。
【０００７】
また本発明は、液透過性の表面シートと、液不透過性の裏面シートと、液保持性の吸収体とを備える実質的に縦長の本体と、該本体の長手方向の両側部に接合された左右一対のウエストバンドを有し、少なくとも何れか一方のウエストバンドに、他方のウエストバンドに止着するためのバンド止着部が設けられている使い捨ておむつの製造方法において、連続搬送されている帯状のウエストバンド原反を、長手方向に、切断点を幅方向に揺動させながら切断し、左右のウエストバンドがそれぞれ複数連なった構成の２本のウエストバンド連続体を得る工程と、前記２本のウエストバンド連続体の搬送方向の相対位置を調節して、両ウエストバンド連続体のウエストバンド部分の位置を一致させ、その状態で両ウエストバンド連続体同士を重ねる工程と、重ねた状態の両ウエストバンド連続体を、幅方向に順次切断して、左右のウエストバンド部分を各一つ含むウエストバンド配置体を得る工程と、各ウエストバンド配置体を、前記表面シート上に順次配置し、各ウエストバンド部分の所定箇所を、前記表面シートと前記裏面シート間に挟み込まれる様に折り返し、該表面シートに固定する工程とを具備することを特徴とする、使い捨ておむつの製造方法を提供する事により、上記目的を達成したものである。
【０００８】
さらに本発明は、液透過性の表面シートと、液不透過性の裏面シートと、液保持性の吸収体とを備える実質的に縦長の本体と、該本体の長手方向の両側部に接合された左右一対のウエストバンドを有し、少なくとも何れか一方のウエストバンドに、他方のウエストバンドに止着するためのバンド止着部が設けられている使い捨ておむつの製造方法において、連続搬送されている帯状のウエストバンド原反を、長手方向に、切断点を幅方向に揺動させながら切断し、左右のウエストバンドがそれぞれ複数連なった構成の２本のウエストバンド連続体を得る工程と、前記２本のウエストバンド連続体の搬送方向の相対位置を調節して、両ウエストバンド連続体のウエストバンド部分の位置を一致させ、その状態で両ウエストバンド連続体同士を重ねる工程と、重ねた状態の両ウエストバンド連続体を、幅方向に順次切断して、左右のウエストバンド部分を各一つ含むウエストバンド配置体を得る工程と、各ウエストバンド配置体を、前記表面シート上に順次配置し、各ウエストバンド部分の所定箇所を、前記裏面シートを巻き込む様に折り返し、該裏面シートに固定する工程とを具備することを特徴とする、使い捨ておむつの製造方法を提供することにより、上記目的を達成したものである。
【発明の効果】
【０００９】
本発明の使い捨ておむつの製造方法によれば、左右のウエストバンドを、両者を重ねた構成のウエストバンド配置体として、本体部分に精度良く安定した状態に固定することができ、ウエストバンドタイプおむつを連続生産する際の設備や制御の簡易化、低コスト化を図ることができる。
【発明を実施するための最良の形態】
【００１０】
以下、本発明をその好ましい実施形態に基づいて詳細に説明する。
先ず、本実施形態の製造方法により製造する使い捨ておむつについて説明する。図１は、本実施形態の製造方法により連続生産される多数の同一構成の使い捨ておむつのうちの一つを示すものである。
【００１１】
図１に示す使い捨ておむつ１は、液透過性の表面シート２、液不透過性の裏面シート３、及びこれら両シート２，３間に介在する液保持性の吸収体４を具備する実質的に縦長の本体５と、該本体５の長手方向の両側部に接合された左右一対のウエストバンド６，６とを有する。一方のウエストバンド６には、他方のウエストバンド６に止着されるバンド止着部７１が設けられている。バンド止着部７１は、機械的面ファスナーの雄材からなり、他方のウエストバンド６に機械的面ファスナーの雌材を貼着して形成された、被止着部８１に着脱自在に止着可能である。
【００１２】
両ウエストバンド６，６は、本体５の長手方向の一端部近傍に設けられ、各ウエストバンドそれぞれの一端部が、本体５の一端部近傍における両側部に接合されている。
また、本体５の長手方向の他端部近傍の両側部には左右一対のパネル７，７が接合されており、各パネル７には、前記ウエストバンド６に止着されるおむつ止着部７２，７３が設けられている。おむつ止着部７２，７３も、機械的面ファスナーの雄材からなり、それぞれ、機械的面ファスナーの雌材を貼着して形成した、左右同じ側のウエストバンドにおける被止着部８２，８３に着脱自在に止着可能である。
【００１３】
脚周りに配されるレッグ部には、レッグ部を着用者にフィットさせるためのレッグ部弾性部材８が配されている。また、本体５の表面シート側の面における両側部には、立体ガード形成用シート５２が長手方向に沿って配されて立体ガード５１が形成されている。バンド止着部７１及びおむつ止着部７２，７３を構成する機械的面ファスナーの雄材としては、それぞれ、その表面に、多数の錨形や鉤形のオス型係合部材が配されたもの等を用いることができ、例えば、「マジックテープ（登録商標）」（クラレ社製）、「クイックロン（登録商標）」（ＹＫＫ社製）、「マジクロス（登録商標）」（カネボウベルタッチ社製）等の市販品を用いることができる。
【００１４】
本使い捨ておむつ１を着用する際には、本体５の長手方向両端部のうちのウエストバンド６，６を有する側を、着用者の背中側に当接させ、両ウエストバンド６，６を着用者の腹側にもってくる。そして、一方のウエストバンド６におけるバンド止着部７１を有する部分を、他方のウエストバンド６の被止着部８１に重ねるようにして、両ウエストバンドを、バンド止着部７１と被止着部８１との係合によって連結する。次いで、本体５の長手方向両端部のうちのウエストバンド６，６を有する側とは反対側を、着用者股間を通して腹側に引き上げる。そして、おむつ止着部７２を、一方のウエストバンド６の被止着部８２、おむつ止着部７３を、他方のウエストバンド６の被止着部８３にそれぞれ係合させ止着する。本使い捨ておむつ１は、前後逆向きに装着することもできる。即ち本体５の長手方向両端部のうちのウエストバンド６，６を有する側を着用者の腹側に当接させて使用することもできる。
【００１５】
次に、上記の使い捨ておむつ１を多数連続的に製造する本実施形態の製造方法について、図２及び図３を参照して説明する。
本実施形態においては、ロール状に巻回した原反ロール（図示せず）から、帯状のウエストバンドの原反６０を連続的に繰り出し、公知の搬送機構により、該原反６０を連続的に搬送させる。そして、図２に示されるように、連続搬送されている原反６０に対し、図２中のＡ１部において、機械的面ファスナーの雄材７１〜７３、及び機械的面ファスナーの雌材８１〜８３を、接着剤を介してそれぞれ所定の間隔を開けて接合固定する。図２の絵において、雄材７１〜７３は原反６０の表側、雌材８１〜８３は原反６０の裏側の面に固定する。
【００１６】
次いで、図２中のＡ２部において、ウエストバンドの原反６０を、その長手方向に、切断点Ｐ１，Ｐ２を幅方向に揺動させながら切断する。この切断は、原反６０を幅方向に２分割し、使い捨ておむつ１における左右のウエストバンド６，６がそれぞれ複数連なった構成の２本のウエストバンド連続体６１，６２を得るために行う。切断には、ロール周面に切断刃を有するカッターロール等を用いることができる。その際、ウエストバンドのトリムロスを最小にし、且つ製品に取り付けられるウエストバンドが機能的に優れた形状とすることが望まれる。
【００１７】
本実施形態においては、ロールの周方向に、刃がロールの軸方向に２重に形成された部分と刃が１つの部分とを有するカッターロールを用いて切断しており、刃が２重に形成された部分が原反６０が当たる部分は、原反６０の幅方向に離間した２カ所の切断点Ｐ１，Ｐ２で原反６０が切断され刃が１つの部分が当たる部分は、原反６０の幅方向における１カ所の切断点で原反６０が切断されている。幅方向に離間した２カ所の切断点Ｐ１，Ｐ２で切断する部分を有することにより、トリム６３が発生するが、このトリム６３は、図２中のＡ３部において、吸引除去装置等で除去される。原反６０の切断は、原反６０の流れ方向に離間配置された２本のカッターロールを用いて切断したり、レーザーカッター等を用いて切断することもできる。
本実施形態では、上記の切断により、２本のウエストバンド連続体６１，６２として、ウエストバンド部分６１ａとパネル部分６１ｂとが長手方向に交互に配置された構成のウエストバンド連続体６１と、ウエストバンド部分６２ａとパネル部分６２ｂとが交互に連結された構成のウエストバンド連続体６２を得ている。
【００１８】
次いで、２本のウエストバンド連続体６１，６２をそれぞれ連続搬送しつつ、両者の搬送方向の相対位置を調節して、両ウエストバンド連続体６１，６２におけるウエストバンド部分６１ａ，６２ａの位置を一致させる。即ち、両者に分割した段階では、図２中のＡ２部やＡ３部に示されるように、一方のウエストバンド連続体６１のウエストバンド部分６１ａの位置と他方のウエストバンド連続体６２のウエストバンド部分６２ａの位置とは半ピッチ分ずれているが、図２中のＡ４部において、それを、両者の搬送経路の長さを異ならせる等の公知の手法により、両ウエストバンド連続体のウエストバンド部分６１ａ，６２ａの位置を一致させる。そして、その状態で、両ウエストバンド連続体６１，６２を互いに重ねる。両ウエストバンド連続体６１，６２を重ねるという場合、ウエストバンド部分の少なくとも一部同士が重なっていれば良いが、ウエストバンドの全長（おむつ幅方向の全長）の半分以上の長さ、更には２／３以上の長さが互いに重なっていることが好ましい。
【００１９】
本実施形態においては、両ウエストバンド連続体同士を重ねる工程の前に、上述したように、ウエストバンド原反６０における一方のウエストバンドに対応する部分にバンド止着部７１を形成してあり、両ウエストバンド連続体同士を重ねる際に、バンド止着部７１を介して両ウエストバンド連続体のウエストバンド部分同士が仮着される。より具体的には、図２のＡ４部に矢印１１で示すように、一方のウエストバンド部分のバンド止着部７１と他方のウエストバンド部分の被止着部８３とが係合して両ウエストバンド部分同士が着脱自在に仮着される。尚、本実施形態におけるように、ウエストバンドの原反６０におけるウエストバンドに対応する部分にバンド止着部７１を設けるのに代えて、ウエストバンド連続体に分割した後に、該ウエストバンド連続体のウエストバンドに対応する部分にバンド止着部７１を設けても同様である。また、互いに重ねた両ウエストバンド連続体６１，６２の仮着補強として、両ウエストバンド連続体６１，６２間で部分的な圧着シール、ＨＭシール、超音波シール等を行うこともできる。
【００２０】
そして、互いに重ねた状態の両ウエストバンド連続体６１，６２を、図２中のＡ５部で、幅方向に順次切断して、左右のウエストバンド部分６１ａ，６２ａを各一つ含むウエストバンド配置体６Ａを得る。
左右のウエストバンド部分を各一つ含むとは、使い捨ておむつ１の左右のウエストバンド６，６となる部分６１ａ，６２ａを一つづつ含むという意味である。本実施形態におけるウエストバンド配置体６Ａは、左右のウエストバンド部分６１ａ，６２ａを各一つ含むとともに、左右のパネル部分（使い捨ておむつのパネル７，７となる部分）６１ｂ，６２ｂを各一つ含んでいる。
【００２１】
そして、このようにして得られたウエストバンド配置体６Ａを、別に製造され、連続搬送されている本体５の連続体５’の肌当接面上に、図２中のＡ６部において、間欠的に順次配置する。そして、図２中のＡ７部において、各ウエストバンド部分６１ａ，６２ａの所定箇所９を、本体５の連続体５’の構成材上に、ヒートシール、超音波シール、接着剤等の公知の接合方法を用いて固定する。本実施形態においては、連続体５’の両側部は、立体ガード形成用のシート材５２により形成されており、該シート材５２上に固定している。このときの接合方法は、肌と当たる部分での違和感を軽減するため、シールであれば必要強度を維持しつつ、硬くならない様な工夫をする必要がある。この時の必要接合強度としては、おむつを構成する材料の破壊が起きる程度に大きければ大きい程好ましいので、特に制限されない。
【００２２】
本実施形態においては、ウエストバンド配置体６Ａとして、ウエストバンド部分６１ａ，６２ａとパネル部分６１ｂ，６２ｂとからなるものを用いており、ウエストバンド配置体６Ａを本体５の構成材５２上に配置する際には、それぞれ、二つのおむつに跨るように配置固定し、その後、図２中のＡ８部において、ウエストバンド部分６１ａ，６２ａとパネル部分６１ｂ，６２ｂとが分離されるように、各ウエストバンド配置体６Ａを本体５の構成材５２とともに切断している。
【００２３】
このようにして、図１に示す使い捨ておむつ１が多数連続的に得られる。ウエストバンド配置体６Ａにおけるウエストバンド部分６１ａ，６２ａは、左右のウエストバンド６，６を構成し、パネル部分６１ａ，６２ａは、左右のパネル７，７を構成する。使い捨ておむつ１は、図２の右下に示されるように、両ウエストバンドが幅方向内側に折り畳まれた状態で安定しているため、その後の工程、例えば、使い捨ておむつを折り畳んだり、多数枚積層して包装袋に収納するまでの工程等においても取り扱い性に優れている。
【００２４】
本実施形態の使い捨ておむつの製造方法によれば、このようにして、左右のウエストバンドを、両者を重ねた構成のウエストバンド配置体６Ａとして、本体部分に精度良く安定した状態に固定することができるため、ウエストバンドタイプおむつを連続生産する際に、ウエストバンドの取り扱いが容易であり、そのため、設備や制御の簡易化、低コスト化を図ることができる。
特にバンド止着部７１を介してウエストバンド連続体のウエストバンド部分同士を仮着させておくことにより、ウエストバンド配置体６Ａの搬送中に、両ウエストバンド部分同士間にずれ等が一層生じにくくなる。
【００２５】
更に、ウエストバンド部分とパネル部分とが一体化されたウエストバンド配置体６Ａを用い、それを２つのおむつに跨るように配置した後、切断するようにしたため、おむつ本体の長手方向の両端部にそれぞれウエスト部分とパネル部分を精度良く配置する事が可能となる。
【００２６】
次に、本発明の他の実施形態について説明する。以下に示す第２及び第３実施形態について、特に説明しない点については、上述した実施形態と同様であり、上述した説明が適宜適用される。
第２の実施形態においては、ウエストバンド配置体６Ａを本体５の連続体５’に固定するときに、図４に示すように、ウエストバンド配置体６Ａの所定箇所（流れ方向に直交する方向の両端部）を表面シート２と裏面シート３の間に挟み込み固定する。この場合、ウエストバンドの本体側側縁が両シート間に挟み込まれるため、着用中、内側及び外側からの違和感を無くすことができると共に、本体との接合固定部にＴ剥離方向の力が加わらないため、接合強度を出しやすくなる。尚、図４に示すように、表面シート２の両側部に、立体ガード形成用シート５２が接合されている場合、該シート５２からなる部分も含めて表面シートと考える。また、表面シート２の両側部に他のシート（撥水性シートや液不透過性シート）が連結されて一枚のシート状をなしている場合も同様である。
【００２７】
第３の実施形態においては、ウエストバンド配置体６Ａを本体５の連続体５’に固定するときに、図５に示すように、ウエストバンド配置体６Ａの所定箇所を裏面シート側で固定する。このとき、ウエストバンドの本体側側縁は、身体側とは反対側に折り返され、着用中、違和感を感じにくいと共に、本体との接合固定部にＴ剥離方向の力が加わらないため、接合強度を出しやすくなる。
【００２８】
以上、本発明の好ましい実施形態について説明したが、本発明は、上述した実施形態に制限されず、適宜変更可能である。
例えば、上述した実施形態では、ウエストバンド部分とパネル部分とが一体化されたウエストバンド配置体６Ａを製造し、これを本体の連続体５’上に配置固定したが、ウエストバンド部分のみが連続したウエストバンド配置体を製造し、これを本体の連続体５’等に配置固定しても良い。この場合、パネル部分は、別のパネルようのより細幅な原反から製造して適宜の方法で本体５の連続体５’や切断後の本体５等に接合しても良い。また、パネル７におむつ止着部７２，７３を設けるのに代えて、本体５部分に同様のおむつ止着部を設けても良い。この場合、パネル７自体が不要となる。また、ウエストバンド配置体６Ａは、本体の肌当接面側に固定するのに代えて、本体の非肌当接面側に固定することもできる。
【００２９】
更に、ウエストバンド配置体６Ａは、本体５の連続体５’に固定するのに代えて、個々のおむつの寸法に切断した後の本体５に固定しても良い。本明細書において、本体の構成材という場合、切断前の本体連続体の構成材と、切断後の本体の構成材の両者を含む。ウエストバンド及びパネルの構成材料、即ち原反６０の構成材料としては、従来のウエストバンドタイプのおむつのウエストバンドに用いられている各種の材料を用いることができ、例えば、各種製法による不織布や、不織布と樹脂フィルムのラミネート体等を用いることができる。また、ウエストバンドの構成材料として係合性に富む不織布を用い、機械的面ファスナーの雌材を貼着せずに、該不織布自体に、バンド止着部やおむつ止着部を止着させるようにしても良い。また、ウエストバンド原反６０からウエストバンド連続体６１，６２を得るための切断は、単一の切断点を幅方向に揺動させて切断しても良い。
【図面の簡単な説明】
【００３０】
【図１】図１は、本発明により製造される使い捨ておむつの一例を示す平面図である。
【図２】図２は、本発明の一実施形態の製造方法を説明するための図である。
【図３】図３は、図２のＸ−Ｘ断面図である。
【図４】図４は、本発明の別の実施形態における図３相当図である。
【図５】図５は、本発明の更に別の実施形態における図３相当図である。
【符号の説明】
【００３１】
１  使い捨ておむつ
６  ウエストバンド
６Ａ  ウエストバンド配置体
６１，６２  ウエストバンド連続体
７  パネル
７１  バンド止着部
７２，７３  おむつ止着部
【図１】
2006102022.tif 000003
【図２】
2006102022.tif 000004
【図３】
2006102022.tif 000005
【図４】
2006102022.tif 000006
【図５】
2006102022.tif 000007